(57)【要約】【課題】有底枠体の低コスト化と、養魚槽内の吸排作業時間の短縮化と労力の軽減及び海水の水温が低い場合でも魚類の健康を維持することができる船内養魚槽内の海水吸排装置を得る。【解決手段】有底枠体の底面に設けた吸水口の上方に、押圧ボルト用螺孔と少なくとも１以上の固定ボルト用螺孔と左右両端に調整ボルトを設けたボルト取付板を、前記有底枠体の左右側枠間に架設して固着し、前記有底枠体の周囲に立設した枠体の内側壁に分散板を載置する溝を形成し、前記分散板には前記ボルト取付板上面に重合したときに前記押圧ボルト用螺孔と固定ボルト用螺孔と一致する位置に孔を形成する。【選択図】        図３
2004210145.tif 000002
【特許請求の範囲】
【請求項１】
船底に取り付けた有底枠体の底面に吸水口を設け上方を開放し、該有底枠体の左右側枠の内側壁に摺動溝を形成し、該摺動溝内で蓋を左右動させて前記吸水口を開閉し、前記有底枠体の上面を通水性を有する分散板により被蓋して構成されている船内養魚槽内の海水吸排装置において、
前記吸水口の上方に、幅広のボルト取付板を前記左右側枠間に架設して固着し、前記ボルト取付板は押圧ボルト用螺孔と、少なくとも１以上の固定ボルト用螺孔と、左右両端に調整ボルトを設け、前記有底枠体の周囲に立設した枠体の内側壁に、前記分散板を載置する溝を形成し、前記分散板には、前記ボルト取付板上面に重合したときに前記押圧ボルト用螺孔と固定ボルト用螺孔と一致する位置に孔を形成したことを特徴とする船内養魚槽内の海水吸排装置。
【請求項２】
上記分散板は、下方を開口し、上壁と左右前後周壁とよりなる箱形形状に形成され、前記上壁には押圧ボルトを内側に配設するための上下を開口した筒体と固定ボルトを内側に配設するための上下を開口した筒体を設け、前記吸水口より流入し水圧を分散された海水の上昇を防止するため、前記左右前後周壁に通水性を有せしめ、前記上壁の長手方向中途部位より後方に向かって所定横幅を有する通水性部分を左右に対設したことを特徴とする請求項１記載の船内養魚槽内の海水吸排装置。
【発明の詳細な説明】
【０００１】
【発明の属する技術分野】
本発明は、分散板を用いて海水の入れ換えを行う船内養魚槽内における海水吸排装置に関する。
【０００２】
【従来の技術】
従来の船内養魚槽内における海水吸排装置においては、有底枠体の左右側枠の内側壁に設けた摺動溝に、厚みに差異を有する蓋の左右側縁を摺動し、摺動溝の係止突起による係止により加圧して吸水口と蓋との密着を図って養魚槽内の排水作業を行い、有底枠体の上面を多数の細孔を有する分散板にて被蓋することにより、船外からの海水の水圧を分散板により分散させて養魚槽内に海水を送り込んでいるものが提案されている（例えば、実公平６−３４２３２号公報参照）。
【０００３】
【発明が解決しようとする課題】
従来の実公平６−３４２３２号公報にあっては、摺動溝の係止突起により蓋を係止するので、係止突起が磨耗し、その都度有底枠体自体を取り替えなければならず高コスト化するという問題点があった。
また、養魚槽内の排水作業を行うときは、ロープの牽引により蓋を吸水口の上面に移動させ係止突起により蓋を係止し、ポンプの駆動によりパイプにて海水を汲み上げて船外に排水後、ボルトを取り除き枠体より分散板を取り外し、吸水口の上方に、左右側枠間に架設した幅狭な押圧板の中央に設けた押圧ボルトを蓋方向に回転させて吸水口に蓋を確実に密着させ海水の浸入を完全に防止し、又、吸水する場合は反対に、押圧ボルトを上方向に回転させた後、ボルトにより分散板を枠体に取り付けロープの牽引により蓋を移動させて吸水口を開口していたので、養魚槽内への海水の浸入は完全に遮断することができたけれど、分散板の取り外し及ぶ取り付け作業に労力を要するという問題点があった。
また、海水の水温が低い場合は、水圧を分散板で分散したとしても、直上に海水が流れるため、魚類に低い水温の海水が当たり魚類の健康を確実に維持することができないという問題点があった。
【０００４】
本発明は、有底枠体の永年使用とボルトを取り除いて枠体より分散板を取り外すことなく、容易に養魚槽内の吸排作業を行うことができ、更に、海水の水温が低い場合でも魚類の健康を確実に維持することが可能な船内養魚槽内の海水吸排装置を提供することを目的としている。
【０００５】
【課題を解決するための手段】
上記目的を達成するために、本発明のうち請求項１記載の発明は、船底に取り付けた有底枠体の底面に吸水口を設け上方を開放し、該有底枠体の左右側枠の内側壁に摺動溝を形成し、この摺動溝内で蓋を左右動させて吸水口を開閉し、有底枠体の上面を通水性を有する分散板により被蓋して構成されている船内養魚槽内の海水吸排装置において、吸水口の上方に、幅広のボルト取付板を左右側枠間に架設して固着し、ボルト取付板は押圧ボルト用螺孔と、少なくとも１以上の固定ボルト用螺孔と、左右両端に調整ボルトを設け、有底枠体の周囲に立設した枠体の内側壁に、分散板を載置する溝を形成し、この分散板には、ボルト取付板上面に重合したときに押圧ボルト用螺孔と固定ボルト用螺孔と一致する位置に孔を形成したことを特徴とする。
このように構成された船内養魚槽内の海水吸排装置を用いると、分散板を枠体より取り外すことなく、分散板の孔に例えばボックスレンヂを挿入し押圧ボルト用螺孔に螺入する押圧ボルトを蓋方向に回転することで完全に吸水口を蓋により密閉することができる。
また、蓋を係止するために調整ボルトをボルト取付板に設けているが、調整ボルトはボルト取付板の左右両端に設けることが好ましい。
また、吸水口より流入する海水の水圧は常に上方にかかるので、分散板は溝から外れることなく固定ボルトにより安定的に有底枠体を被蓋するように働く。
本発明のうち請求項２記載の発明は、分散板は、下方を開口し、上壁と左右前後周壁とよりなる箱形形状に形成され、上壁には押圧ボルトを内側に配設するための上下を開口した筒体と固定ボルトを内側に配設するための上下を開口した筒体とを設け、吸水口より流入し水圧を分散された海水の上昇を防止するため、左右前後周壁は通水性を有せしめ、上壁の長手方向中途部位より後方に向かって所定横幅を有する通水性部分を左右に対設したことを特徴とする。
このように上壁には押圧ボルトを内側に配設するための上下を開口した筒体と固定ボルトを内側に配設するための上下を開口した筒体とを設けているので、吸水口を介して流入する海水の水圧を受けても安定的に有底枠体を被蓋するように働く。
また、左右前後周壁は通水性を有せしめ、上壁の長手方向中途部位より後方に向かって所定横幅を有する通水性部分を左右に対設したので、例え海水の水温が低い場合でも、吸水口より流入した海水の水圧は上壁により分散され曲折して距離を経て左右前後周壁や上壁の孔により再度分散されて横方向に流れるため、魚類が受ける水温の低い海水の水流の衝撃を防止するように働く。
【０００６】
【発明の実施の形態】
発明の実施の形態を実施例に基づき図面を参照して説明する。
図１〜図４において、有底枠体１は、前側枠２と左右側枠３と底面４とより構成され、左右側枠３の内側壁に摺動溝５を形成する。底面４の前側枠２側よりに吸水口６を穿設し、この吸水口６の上方にボルト取付板７を左右側枠３間に架設し、ボルト１９により有底枠体１とボルト取付板７を固着する。図１及び図３に示すように、ボルト取付板７は長さ方向の中心に押圧ボルト１２を螺入する押圧ボルト用螺孔８と、押圧ボルト用螺孔８の近傍に固定ボルト２５を螺入する固定ボルト用螺孔９と、左右両端には吸水口６を開閉する蓋１０を係止する調整ボルト１１が螺着され、ボルト取付板７の上面の中央部分は平坦面に形成されるとともに前後方向に幅広く形成されている。蓋１０の左右側縁１４、１４は前後方向中途部位より前側枠２方向に向かって突条に形成し順次下傾させ、蓋１０の中央には押圧ボルト用螺孔８に螺入された押圧ボルト１２の先端面が当接する押圧受け部１３を突設する。
図２に示すように、有底枠体１の外側周囲は枠体１５が立設され、この枠体１５の前後内側壁１６、１７と左右内側壁１８の前後方向の略中央位置から前側壁１６に向かって溝２０が形成されている。この溝２０に多数の孔２１を有する分散板２２の端縁を載置し、ボルト取付板７上面に重合したときに押圧ボルト用螺孔８と固定ボルト用螺孔９と一致する位置に分散板２２に孔２３、孔２４を形成する。
３３はロープ、３４はストッパー、３５は船底である。
【０００７】
図５〜図７に示す実施例は、海水の水温が低い場合に使用する分散板２６である。分散板２６は下方を開口し、上壁２７と左右前後周壁２８とよりなる箱形形状に形成され、上壁２７には、押圧ボルト１２を内側に配設するための上下を開口した大径筒体２９と、この大径筒体２９の近傍には固定ボルト２５を内側に配設するための上下を開口した小径筒体３０が設けられている。
図７に示すように、船外から吸水口６を介して養魚槽内に流入する水温の低い海水の上昇を防止するように左右前後周壁２８には細孔３１が形成され、上壁２７には長手方向中途部位より後方向に向かって所定幅を有する孔３２を左右に対設している。
【０００８】
【発明の効果】
本発明は、分散板は、分散板をボルト取付板上面に重合したときに押圧ボルト用螺孔と一致する位置に孔を形成したので、分散板を枠体より取り外すことなく押圧ボルトの回転により蓋を押圧することができるので、養魚槽内の排水作業と吸水作業の時間の短縮化と労力の軽減を図ることができる。
また、分散板は枠体の溝に載置し、固定ボルトのみでボルト取付板に取り付けられているので、分散板の取り外しが容易であるほか、海水の水圧を受けても移動することなく安定的に有底枠体を被蓋することができる。
また、ボルト取付板の両端に、蓋を係止するための調整ボルトを設けたので、例え調整ボルトの先端が使用により磨耗が生じても調整ボルトを下方へ回転するか交換するのみなので低コストであるという効果がある。
また、分散板は下方を開口し、上壁と左右前後周壁とよりなる箱形形状に形成し、左右前後周壁には細孔が形成され、上壁には長手方向中途部位より後方向に向かって所定幅を有する孔を左右に対設したので、水温の低い海水が養魚槽内に流入しても、海水の水圧は距離を経て上壁や左右前後周壁により分散され左右前後周壁と上壁の長手方向中途部位より後方向に向かって所定幅を有する左右に形成された孔より流水させるので、魚類は直接上昇する低い水温の海水の水勢の衝撃を受ける虞はなく、魚類の健康を維持することができるという効果がある。
また、上壁には、押圧ボルトを内側に配設するための上下を開口した大径筒体と、この大径筒体の近傍には固定ボルトを内側に配設するための上下を開口した小径筒体を設けたので、分散板は安定的に有底枠体を被蓋することができる。
【図面の簡単な説明】
【図１】分散板を取り外した状態を示す平面図である。
【図２】分散板により有底枠体を被蓋した状態を示す平面図である。
【図３】吸水口上面を蓋で密閉状態を示す断面図である。
【図４】図２の有底枠体を切欠したＡ−Ａ線拡大断面図である。
【図５】分散板の斜視図である。
【図６】吸水口上面を蓋で密閉状態を示す断面図である。
【図７】図６の有底枠体を切欠したＢ−Ｂ線拡大断面図である。
【符号の説明】
１  有底枠体
３  左右側枠
５  摺動溝
６  吸水口
７  ボルト取付板
８  押圧ボルト用螺孔
９  固定ボルト用螺孔
１０  蓋
１１  調整ボルト
１２  押圧ボルト
１５  枠体
２０  溝
２２、２６  分散板
２３、２４  孔
２５  固定ボルト
２７  上壁
２８  左右前後周壁
２９、３０  筒体
３５  船底
【図１】
2004210145.tif 000003
【図２】
2004210145.tif 000004
【図３】
2004210145.tif 000005
【図４】
2004210145.tif 000006
【図５】
2004210145.tif 000007
【図６】
2004210145.tif 000008
【図７】
2004210145.tif 000009